(57)【特許請求の範囲】
【請求項１】
原稿読取用ガラスの上に搬送される原稿の画像を画像読取手段によって読み取るようにした画像読取装置において、原稿の移動方向下流側の端部の下面に段差が形成され、上記下面より段差分上がった面である第１取付部を有するスライダーと、上記のスライダーを原稿移動方向に沿った方向に摺動可能に保持する保持部と、を有しており、上記の原稿読取用ガラスがスライダーに取り付けられており、原稿の移動方向下流側におけるスライダーと保持部との間の空間部を遮蔽させるように、上記第１取付部と上記第１取付部より上方に位置する上記保持部の上面との間に、第１の遮蔽部材が取り付けられており、上記のスライダーが原稿移動方向下流側に移動した状態で、上記の第１の遮蔽部材が原稿の移動方向下流側におけるスライダーと保持部との間の空間部内で原稿移動方向に折り返すように折り曲がった状態になる一方、上記のスライダーが原稿移動方向上流側に移動した状態で、上記の第１の遮蔽部材が原稿の移動方向下流側におけるスライダーと保持部との間の空間部内で伸びた状態になることを特徴とする画像読取装置。
【請求項２】
請求項１に記載した画像読取装置において、上記の第１の遮蔽部材が、膜厚が５０〜１５０μｍの範囲にあるゴムフィルム又はエラストマーフィルムで構成されていることを特徴とする画像読取装置。
【請求項３】
請求項１に記載した画像読取装置において、上記の第１の遮蔽部材が、膜厚が５〜１５μｍの範囲にあるポリエチレンテレフタレートフィルムで構成されていることを特徴とする画像読取装置。
【請求項４】
請求項１から請求項３の何れか１項に記載した画像読取装置において、上記保持部の上面と対向する下面を有するカバー部材を有しており、上記の第１の遮蔽部材は、上記保持部の上面と上記カバー部材の下面との間の空間を遮蔽するように、上記の第１の遮蔽部材の下面が上記保持部の上面に貼着されることを特徴とする画像読取装置。
【請求項５】
請求項１から請求項４の何れか１項に記載した画像読取装置において、上記スライダーは、原稿移動方向上流側の端部の下面に段差が形成され、上記下面より段差分上がった面である第２取付部を有しており、原稿の移動方向上流側におけるスライダーと保持部との間の空間部を遮蔽させるように、上記第２取付部と上記第２取付部より上方に位置する上記保持部の上面との間に、第２の遮蔽部材が取り付けられており、上記のスライダーが原稿移動方向上流側に移動した状態で、上記の第２の遮蔽部材が原稿の移動方向上流側におけるスライダーと保持部との間の空間部内で原稿移動方向に折り返すように折り曲がった状態になる一方、上記のスライダーが原稿移動方向下流側に移動した状態で、上記の第２の遮蔽部材が原稿の移動方向上流側におけるスライダーと保持部との間の空間部内で伸びた状態になることを特徴とする画像読取装置。
【請求項６】
請求項５に記載した画像読取装置において、上記の第２の遮蔽部材が、膜厚が５０〜１５０μｍの範囲にあるゴムフィルム又はエラストマーフィルムで構成されていることを特徴とする画像読取装置。
【請求項７】
請求項５に記載した画像読取装置において、上記の第２の遮蔽部材が、膜厚が５〜１５μｍの範囲にあるポリエチレンテレフタレートフィルムで構成されていることを特徴とする画像読取装置。
【請求項８】
請求項５から請求項７の何れか１項に記載した画像読取装置において、上記保持部の上面と対向する下面を有するカバー部材を有しており、上記の第２の遮蔽部材は、上記保持部の上面と上記カバー部材の下面との間の空間を遮蔽するように、上記の第２の遮蔽部材の下面が上記保持部の上面に貼着されることを特徴とする画像読取装置。
【請求項９】
原稿読取用ガラスの上に搬送される原稿の画像を画像読取手段によって読み取るようにした画像読取装置において、原稿の移動方向下流側の端部の下面に段差が形成され、上記下面より段差分上がった面である第１取付部を有するスライダーと、上記のスライダーを原稿移動方向に沿った方向に摺動可能に保持する保持部と、を有しており、上記の原稿読取用ガラスがスライダーに取り付けられており、原稿の移動方向下流側におけるスライダーと保持部との間の空間部を遮蔽させるように、上記第１取付部と上記第１取付部より上方に位置する上記保持部の上面との間に、第１の遮蔽部材が取り付けられており、上記の第１の遮蔽部材が、伸縮性のシートで構成されていることを特徴とする画像読取装置。
【請求項１０】
請求項９に記載した画像読取装置において、上記保持部の上面と対向する下面を有するカバー部材を有しており、上記の第１の遮蔽部材は、上記保持部の上面と上記カバー部材の下面との間の空間を遮蔽するように、上記の第１の遮蔽部材の下面が上記保持部の上面に貼着されることを特徴とする画像読取装置。
【請求項１１】
請求項９又は請求項１０に記載した画像読取装置において、上記スライダーは、原稿移動方向上流側の端部の下面に段差が形成され、上記下面より段差分上がった面である第２取付部を有しており、原稿の移動方向上流側におけるスライダーと保持部との間の空間部を遮蔽させるように、上記第２取付部と上記第２取付部より上方に位置する上記保持部の上面との間に、第２の遮蔽部材が取り付けられており、上記の第２の遮蔽部材が、伸縮性のシートで構成されていることを特徴とする画像読取装置。
【請求項１２】
請求項１１に記載した画像読取装置において、上記保持部の上面と対向する下面を有するカバー部材を有しており、上記の第２の遮蔽部材は、上記保持部の上面と上記カバー部材の下面との間の空間を遮蔽するように、上記の第２の遮蔽部材の下面が上記保持部の上面に貼着されることを特徴とする画像読取装置。
【発明の詳細な説明】
【技術分野】
【０００１】
本発明は、原稿読取用ガラスに対して原稿を移動させることにより、原稿の画像を上記の原稿読取用ガラスを通して画像読取手段により読み取るようにした画像読取装置に関し、特に、原稿読取用ガラスにおける汚れを検出するために、この原稿読取用ガラスを原稿の移動方向に沿った方向に移動させながら、上記のように原稿の画像を読み取るようにした画像読取装置において、原稿読取用ガラスを移動させるための空間部を通して、ごみが画像読取装置の内部に侵入するのを防止するようにした点に特徴を有するものである。
【背景技術】
【０００２】
複写機等の画像形成装置において、原稿における画像を読み取る画像読取装置としては、その読取方式の違いから、光源と複数の反射鏡とＣＣＤセンサ等を備えた画像読取手段において、その光源と複数の反射鏡を原稿読取用ガラスの原稿読取位置に固定しておき、自動原稿搬送装置により原稿を原稿読取用ガラスの上を所定の速度で副走査方向に移動させて原稿の画像を読み取るようにしたシートスルー方式と、原稿を固定させた状態で、上記の画像読取手段における光源と複数の反射鏡とを移動させて原稿の画像を読み取るスキャナ移動方式とに大別される。
【０００３】
ここで、上記のシートスルー方式の場合、スキャナ移動方式のように画像読取手段における光源と複数の反射鏡とを原稿の長さ方向全体に移動させる必要がなく、スキャナ移動方式に比べて小型化、低コスト化できるというメリットがある。
【０００４】
しかし、シートスルー方式の場合、原稿読取用ガラスの原稿読取位置に汚れがあると、この汚れがたとえ点状であったとしても、原稿を読み取る際に、この汚れを常時読み取るため、原稿が端から端まで筋状に汚れているのと同じ結果となり、読み取って得られた画像データから再現された画像に、原稿の移動方向である副走査方向に連続する筋状のノイズが発生するという問題があった。特に、カラー画像を読み取る場合には、原稿における画像の濃淡や色彩を忠実に読み取る必要があるため、微細な汚れであっても、画像ノイズとして現れるという問題があった。
【０００５】
このため、従来においては、原稿の画像を読み取るための読取用ＣＣＤセンサの他に、原稿読取用ガラスの汚れを検出するための汚れ検出用ＣＣＤセンサを副走査方向に所定間隔をおいて配置し、読取用ＣＣＤセンサから出力される画像情報と汚れ検出用ＣＣＤセンサから出力される画像情報とを比較し、その比較結果から原稿読取用ガラスの汚れを検出して、画像情報の補正を行うようにしたものが開示されている（例えば、特許文献１参照。）。
【０００６】
しかし、上記の画像読取装置においては、原稿の画像を読み取るための読取用ＣＣＤセンサの他に、原稿読取用ガラスの汚れを検出するための汚れ検出用ＣＣＤセンサを別個に設けることが必要になり、コストが高くつくと共に、読取用ＣＣＤセンサと汚れ検出用ＣＣＤセンサとの双方の読取位置に汚れがあると、読取用ＣＣＤセンサから出力される画像情報と汚れ検出用ＣＣＤセンサから出力される画像情報とに顕著な差が生じなくなり、原稿読取用ガラスにおける汚れの検出が不可能になるという問題もあった。
【特許文献１】特開２００２−２７１６３１号公報
【発明の開示】
【発明が解決しようとする課題】
【０００７】
このため、本出願人は、先の出願（特願２００４−２７１９６２号）において、上記の原稿読取用ガラスと原稿とがずれながら搬送されるようにして、この原稿読取用ガラスを原稿の移動方向に沿った方向に移動させながら読み取りを行い、原稿読取用ガラスの汚れを検出して、画像情報の補正を行うようにしたものを提案した。
【０００８】
しかし、このように原稿読取用ガラスを原稿の移動方向に沿った方向に移動させるようにした場合、原稿読取用ガラスを移動させるための空間部が形成されることになり、この空間部を通して原稿における紙粉等のごみが、光源と複数の反射鏡とＣＣＤセンサ等の画像読取手段を収容させた画像読取装置の内部に侵入し、特に、原稿の移動に伴って原稿の移動方向下流側における空間部に紙粉等のごみが流れ込み、この紙粉等のごみが画像読取装置内に侵入して上記の画像読取手段に付着し、これによって画像ノイズが発生するという問題があった。
【０００９】
本発明は、原稿読取用ガラスを原稿の移動方向に沿った方向に移動させるようにした画像読取装置において、原稿読取用ガラスを移動させるための空間部を通して、紙粉等のごみが上記のような画像読取手段が収容された画像読取装置内に侵入するのを防止することを課題とするものである。
【課題を解決するための手段】
【００１０】
本発明は、上記のような課題を解決するため、原稿読取用ガラスの上に搬送される原稿の画像を画像読取手段によって読み取るようにした画像読取装置において、原稿の移動方向下流側の端部の下面に段差が形成され、上記下面より段差分上がった面である第１取付部を有するスライダーと、上記のスライダーを原稿移動方向に沿った方向に保持する保持部と、を有しており、上記の原稿読取用ガラスがスライダーに取り付けられており、原稿の移動方向下流側におけるスライダーと保持部との間の空間部を遮蔽させるように、上記第１取付部と上記第１取付部より上方に位置する上記保持部の上面との間に、第１の遮蔽部材を取り付け、上記のスライダーが原稿移動方向下流側に移動した状態で、上記の第１の遮蔽部材が原稿の移動方向下流側におけるスライダーと保持部との間の空間部内で原稿移動方向に折り返すように折り曲がった状態になる一方、上記のスライダーが原稿移動方向上流側に移動した状態で、上記の第１の遮蔽部材が原稿の移動方向下流側におけるスライダーと保持部との間の空間部内で伸びた状態になるようにした。
【００１１】
また、上記のように原稿の移動方向下流側におけるスライダーと保持部との間の空間部を遮蔽させるようにして第１の遮蔽部材を取り付けるにあたっては、この第１の遮蔽部材を伸縮性のシートで構成することができる。
【００１２】
また、上記の画像読取装置においては、上記スライダーが、原稿移動方向上流側の端部の下面に段差が形成され、上記下面より段差分上がった面である第２取付部を有しており、原稿の移動方向上流側におけるスライダーと保持部との間の空間部を遮蔽させるように、上記第２取付部と上記第２取付部より上方に位置する上記保持部の上面との間に、第２の遮蔽部材を取り付けることが好ましい。
【００１３】
ここで、上記のように原稿の移動方向上流側におけるスライダーと保持部との間の空間部を遮蔽させるようにして第２の遮蔽部材を取り付けるにあたっては、上記のスライダーが原稿の移動方向上流側に移動した状態で、上記の第２の遮蔽部材が、原稿の移動方向上流側におけるスライダーと保持部との間の空間部内で原稿移動方向に折り返すように折り曲がった状態になる一方、上記のスライダーが原稿の移動方向下流側に移動した状態で、上記の第２の遮蔽部材が、原稿の移動方向上流側におけるスライダーと保持部との間の空間部内で伸びた状態になるようにすることができる。また、この第２の遮蔽部材を伸縮性のシートで構成することもできる。
【００１４】
また、上記のような画像読取装置において、上記の遮蔽部材としては、膜厚が５０〜１５０μｍの範囲にあるゴムフィルム又はエラストマーフィルムや、膜厚が５〜１５μｍの範囲にあるポリエチレンテレフタレートフィルムを用いることが好ましい。
【発明の効果】
【００１５】
本発明における画像読取装置においては、上記のように原稿読取用ガラスを保持させたスライダーを、原稿の移動方向に沿った方向に摺動可能にして保持部に保持させるにあたり、原稿の移動方向下流側におけるスライダーと保持部との間の空間部を遮蔽させるように第１の遮蔽部材を取り付けたため、上記のスライダーにより原稿読取用ガラスを原稿の移動方向に沿った方向に移動させながら、この原稿読取用ガラスの上を移動する原稿の画像を画像読取手段によって読み取るようにした場合において、原稿における紙粉等のごみが原稿の移動に伴って原稿の移動方向下流側における上記の空間部に導かれたとしても、この紙粉等のごみが上記の第１の遮蔽部材によって遮蔽されるようになる。
【００１６】
この結果、原稿の移動方向下流側における上記の空間部に導かれた紙粉等のごみが、画像読取手段を収容させた画像読取装置内に侵入するのが防止されて、ごみが画像読取手段に付着するのが防止され、このようなごみの付着による画像ノイズの発生が抑制されるようになる。
【００１７】
また、本発明における画像読取装置において、さらに原稿の移動方向上流側におけるスライダーと保持部との間の空間部を遮蔽させるようにして第２の遮蔽部材を取り付けると、紙粉等のごみが原稿の移動方向上流側における上記の空間部に導かれたとしても、この紙粉等のごみが上記の第２の遮蔽部材によって遮蔽され、原稿の移動方向上流側における上記の空間部を通して画像読取装置内に紙粉等のごみが侵入するのも防止されるようになり、画像読取手段にごみが付着するのが一層抑制されて、画像ノイズの発生がより少なくなる。
【発明を実施するための最良の形態】
【００１８】
次に、この発明の実施形態に係る画像読取装置を添付図面に基づいて具体的に説明する。なお、この発明に係る画像読取装置は、下記の実施形態に示したものに限定されず、その要旨を変更しない範囲において適宜変更して実施できるものである。
【００１９】
この実施形態に係る画像読取装置１０は、図１及び図２に示すように、原稿１を手置き式読取用ガラス１１の上にセットし、この状態で、画像読取装置１０内に設けられた画像読取手段２０を原稿１先端側から後端側まで移動させて原稿１の画像を読み取るスキャナ移動方式と、画像読取手段２０を所定位置にセットし、自動原稿搬送装置３０により原稿１を所定の速度で原稿読取用ガラス１２の上を移動させ、このように移動する原稿１の画像を上記の画像読取手段２０によって読み取るシートスルー方式とを備えている。
【００２０】
ここで、上記の画像読取手段２０として、光源２１と第１〜第３の反射鏡２２ａ，２２ｂ，２２ｃとレンズ２３とＣＣＤラインセンサ２４とが画像読取装置２０内に設けられ、光源２１と第１の反射鏡２２ａとが第１の走査ユニット（図示せず）によって一緒に移動するようになっており、第２の反射鏡２２ｂと第３の反射鏡２２ｃとが第２の走査ユニット（図示せず）によって一緒に移動するようになっている。
【００２１】
そして、上記のスキャナ移動方式によって手置き式読取用ガラス１１の上に固定させた原稿１の画像を読み取るにあたっては、図１に示すように、手置き式読取用ガラス１１の上にセットされた原稿１の先端側から後端側に向けて、第１の走査ユニットにより光源２１と第１の反射鏡２２ａとを走査させると共に第２の走査ユニットにより第２の反射鏡２２ｂと第３の反射鏡２２ｃとを走査させ、上記の光源２１から光を上記の手置き式読取用ガラス１１を通して原稿１に照射させ、その反射光を上記の第１〜第３の反射鏡２２ａ，２２ｂ，２２ｃにより反射させてレンズ２３に導き、このレンズ２３を通して反射光をＣＣＤラインセンサ２４に導いて、上記の原稿１の画像を読み取るようにしている。
【００２２】
また、上記のシートスルー方式により原稿１の画像を読み取るにあたっては、図２に示すように、上記の第１の走査ユニット及び第２の走査ユニットにより、光源２１と第１〜第３の反射鏡２２ａ，２２ｂ，２２ｃを原稿読取用ガラス１２側に移動させて所定の位置にセットする。
【００２３】
そして、上記の自動原稿搬送装置３０により原稿給紙トレイ３１にセットされた原稿１を１枚ずつ原稿読取用ガラス１２側に位置する第１の搬送ローラ３２を通して原稿読取用ガラス１２の上方に位置するガイド部材３３の位置に送ると共に、上記の原稿読取用ガラス１２を原稿１の移動方向に沿った方向に移動させながら、この原稿読取用ガラス１２の上を通過する原稿１に上記の光源２１から光を照射させ、その反射光を上記の第１〜第３の反射鏡２２ａ，２２ｂ，２２ｃにより反射させてレンズ２３に導き、このレンズ２３を通して反射光をＣＣＤラインセンサ２４に導いて、上記のように移動する原稿１の画像を読み取った後、この原稿１を第２の搬送ローラ３４を通して原稿排紙トレイ３５に排出させるようにする。
【００２４】
ここで、この実施形態に係る画像読取装置１０においては、図３〜図６に示すように、上記の原稿読取用ガラス１２を画像読取用のスリット１３ａが設けられたスライダー１３に取り付け、このスライダー１３を、画像読取用のスリット１４ａが設けられたフレームからなる保持部１４の上に原稿１の移動方向に沿った方向に摺動できるようにして保持させ、このスライダー１３の上にカバー部材１５を設けている。
【００２５】
そして、上記のスライダー１３を原稿１の移動方向に沿った方向に摺動可能にして保持部１４に保持させるにあたっては、スライダー１３に原稿１の移動方向に長くなった長穴１３ｂを設ける一方、上記の保持部１４に突起１４ｂを設け、この突起１４ｂを上記の長穴１３ｂに差し込み、スライダー１３がこの長穴１３ｂの範囲で原稿１の移動方向に沿った方向に摺動できるようにしている。また、このスライダー１３を摺動させるにあたっては、上記の保持部１４に駆動装置１６を設け、この駆動装置１６の動力を歯車１６ａ，１６ｂ，１６ｃ等で構成される動力伝達機構を介してスライダー１３に伝え、これによりスライダー１３を保持部１４の上で原稿１の移動方向に沿った方向に摺動させるようにしている。
【００２６】
また、この実施形態における画像読取装置１０においては、原稿１の移動方向下流側におけるスライダー１３と保持部１４との間の空間部Ｓ１を遮蔽させるようにして、薄膜シートからなる第１の遮蔽部材１７ａをスライダー１３における原稿移動方向下流側の端部から保持部１４における原稿移動方向下流側の端部に取り付けると共に、原稿１の移動方向上流側におけるスライダー１３と保持部１４との間の空間部Ｓ２を遮蔽させるようにして、薄膜シートからなる第２の遮蔽部材１７ｂをスライダー１３における原稿移動方向上流側の端部から保持部１４における原稿移動方向上流側の端部に取り付けている。なお、この実施形態においては、第１及び第２の遮蔽部材１７ａ，１７ｂに湾曲可能な薄膜シートを用いるようにしたが、伸縮性シートを用いるようにしてもよい。
【００２７】
ここで、この実施形態においては、上記の第１の遮蔽部材１７ａにおける一方の長手方向の端縁を、上記のスライダー１３における原稿１の移動方向下流側の端部に沿って貼着させると共に、他方の長手方向の端縁を、保持部１４における原稿１の移動方向下流側の端部に貼着させるようにしている。また、上記の第２の遮蔽部材１７ｂにおける一方の長手方向の端縁を、上記のスライダー１３における原稿１の移動方向上流側の端部に沿って貼着させると共に、他方の長手方向の端縁を保持部１４における原稿１の移動方向上流側の端部に貼着させるようにしている。
【００２８】
そして、上記のように第１及び第２の遮蔽部材１７ａ，１７ｂにおける一方の長手方向の端縁を、スライダー１３の端部に沿って貼着させるにあたっては、上記のスライダー１３におけるそれぞれの端部の下面を段差状に形成し、下面より一段上がった各取付部１３ｃに第１及び第２の遮蔽部材１７ａ，１７ｂの端縁を貼着させるようにしている。このようにすると、スライダー１３の移動時において、第１及び第２の遮蔽部材１７ａ，１７ｂが保持部１４に擦れるのが防止されると共に、各取付部１３ｃにおいて第１及び第２の遮蔽部材１７ａ，１７ｂを正確に取り付けることができるようになる。
【００２９】
また、第１及び第２の遮蔽部材１７ａ，１７ｂにおける他方の長手方向の端縁を保持部１４の端部に貼着させるにあたっては、上記のようにして第１及び第２の遮蔽部材１７ａ，１７ｂにおける一方の長手方向の端縁が貼着されたスライダー１３を上記の保持部１４に保持させた後、第１及び第２の遮蔽部材１７ａ，１７ｂにおける他方の長手方向の端縁をそれぞれ保持部１４の各端部における立ち上げ部１４ｃの外側に貼り付けるようにしている。このようにすると、これらの組み立てが容易に行えるようになる。なお、上記の第１及び第２の遮蔽部材１７ａ，１７ｂの長手方向の長さは、上記の保持部１４の長手方向両端部に装着させる対になった摺動スペーサー１８の内側の距離と略同じになるようにしている。
【００３０】
そして、上記のようにして第１及び第２の遮蔽部材１７ａ，１７ｂをそれぞれスライダー１３と保持部１４との間に貼着させると、スライダー１３の移動時に第１及び第２の遮蔽部材１７ａ，１７ｂが保持部１４に擦れてごみが出るのが防止されると共に、スライダー１３の移動時における負荷が増大することなく、外部から画像読取装置１０内にごみが侵入するのが防止されるようになる。
【００３１】
ここで、原稿１の先端が原稿読取用ガラス１２に導かれる状態では、図５に示すように、原稿読取用ガラス１２が取り付けられた上記のスライダー１３が原稿１の移動方向下流側に位置し、原稿１の移動方向下流側におけるスライダー１３と保持部１４との間の空間部Ｓ１を遮蔽する上記の第１の遮蔽部材１７ａが上下方向に折り返すように折り曲がった状態になる一方、原稿１の移動方向上流側におけるスライダー１３と保持部１４との間の空間部Ｓ２を遮蔽する上記の第２の遮蔽部材１７ｂは伸びた状態になる。
【００３２】
そして、原稿１が原稿読取用ガラス１２の上を移動するのに伴って、上記の駆動装置１６により原稿読取用ガラス１２が取り付けられたスライダー１３を原稿１の移動方向上流側に摺動させ、原稿１の後端が原稿読取用ガラス１２の上を通過した状態では、図６に示すように、原稿読取用ガラス１２が取り付けられた上記のスライダー１３が原稿１の移動方向上流側に位置し、原稿１の移動方向下流側におけるスライダー１３と保持部１４との間の空間部Ｓ１を遮蔽する上記の第１の遮蔽部材１７ａが伸びた状態になる一方、原稿１の移動方向上流側におけるスライダー１３と保持部１４との間の空間部Ｓ２を遮蔽する上記の第２の遮蔽部材１７ｂは上下方向に折り返すように折り曲がった状態になる。
【００３３】
このように第１及び第２の遮蔽部材１７ａ，１７ｂが、原稿１の移動方向下流側におけるスライダー１３と保持部１４との間の空間部Ｓ１及び原稿の移動方向上流側におけるスライダー１３と保持部１４との間の空間部Ｓ２を遮蔽させるようにして取り付けられているため、原稿読取用ガラス１２の上を移動する原稿１の画像を読み取る場合等において、原稿１における紙粉等のごみが上記の各空間部Ｓ１，Ｓ２に導かれたとしても、この紙粉等のごみが上記の第１及び第２の遮蔽部材１７ａ，１７ｂによって遮蔽され、ごみが上記のような画像読取手段２０が設けられた画像読取装置１０内に侵入するのが防止され、上記の第１〜第３の反射鏡２２ａ，２２ｂ，２２ｃやレンズ２３等にごみが付着して汚れるのが防止されるようになる。特に、紙粉等のごみは、原稿１の移動に伴って、原稿１の移動方向下流側（Ｓ１側）に押しやられ、スライダー１３の移動も手伝って、スリット１４ａから空間部Ｓ１に侵入するようになるが、本実施形態のように、少なくとも、原稿１の移動方向下流側に第１の遮蔽部材１７ａを設けることにより、ごみが画像読取手段２０が設けられた画像読取装置１０内に侵入するのが防止される。
【００３４】
なお、この実施形態における画像読取装置１０においては、上記のようにスライダー１３が移動して、スライダー１３と保持部１４との間におけるそれぞれの空間部Ｓ１，Ｓ２の容積が減少した場合、上記の第１の遮蔽部材１７ａや第２の遮蔽部材１７ｂが上下方向に折り返すように折り曲がった状態になるようにしたが、図７に示すように、原稿１の移動方向下流側におけるスライダー１３と保持部１４との間の空間部Ｓ１の容積が減少した場合に、上記の第１の遮蔽部材１７ａが横方向に折り返すように折り曲がった状態になるようにすると共に、図８に示すように、原稿１の移動方向上流側におけるスライダー１３と保持部１４との間の空間部Ｓ２の容積が減少した場合に、上記の第２の遮蔽部材１７ｂが横方向に折り返すように折り曲がった状態になるようにすることも可能である。
【００３５】
ここで、上記の第１及び第２の遮蔽部材１７ａ，１７ｂとしては、繰り返して使用できる十分な強度を有すると共に、十分な柔軟性を有し、上記のように折り曲がった状態になった場合において空間部Ｓ１，Ｓ２の容積を大きくさせることなく、適切に折り曲げることができ、上記のスライダー１３の駆動にも悪影響を与えないものを用いることが好ましく、例えば、ウレタンやＥＰＤＭ等のゴムフィルムやエラストマーフィルムの場合には、その厚みが５０〜１５０μｍのものを用いることが好ましく、またポリエチレンテレフタレートフィルムの場合には、その厚みが５〜１５μｍのものを用いることが好ましい。
【００３６】
また、この実施形態における画像読取装置１０においては、図５及び図６に示すように、原稿１の移動に伴ってスライダー１３を移動させるように構成しているが、これに限られず、原稿１の移動時はスライダー１３を移動させず、原稿１の画像を読み取っていない状態のときに、スライダー１３を移動させるようにしてもよい。この場合、スライダー１３を移動させるタイミングは所定時間経過したとき、所定回数の読み取りを行ったとき（シートスルー方式で読み取った回数のみをカウントしてもよい）、図示していないごみ検知手段によってごみを検知したとき（特に、原稿読取用ガラス１２にごみが付着したことを検知したとき）など、種々のタイミングで行ってよい。
【図面の簡単な説明】
【００３７】
【図１】この発明の実施形態に係る画像読取装置において、スキャナ移動方式により原稿の画像を読み取る状態を示した概略説明図である。
【図２】上記の実施形態に係る画像読取装置において、シートスルー方式により原稿の画像を読み取る状態を示した概略説明図である。
【図３】上記の実施形態に係る画像読取装置において、原稿読取用ガラスが取り付けられたスライダーを原稿の移動方向に沿った方向に摺動できるように保持部に保持させた状態を示した部分説明図である。
【図４】上記の実施形態に係る画像読取装置を組み立てる前の分解説明図である。
【図５】上記の実施形態に係る画像読取装置において、シートスルー方式により原稿の画像を読み取るにあたり、原稿の先端が原稿読取用ガラスに導かれる場合において、スライダーと保持部との間の各空間部に設けられた第１及び第２の遮蔽部材の状態を示した部分説明図である。
【図６】上記の実施形態に係る画像読取装置において、シートスルー方式により原稿の画像を読み取るにあたり、原稿の後端が原稿読取用ガラスの上を通過した場合において、スライダーと保持部との間の各空間部に設けられた第１及び第２の遮蔽部材の状態を示した部分説明図である。
【図７】上記の実施形態に係る画像読取装置において、シートスルー方式により原稿の画像を読み取るにあたり、原稿の先端が原稿読取用ガラスに導かれる場合において、スライダーと保持部との間の各空間部に設けられた第１及び第２の遮蔽部材の状態の変更例を示した部分説明図である。
【図８】上記の実施形態に係る画像読取装置において、シートスルー方式により原稿の画像を読み取るにあたり、原稿の後端が原稿読取用ガラスの上を通過した場合において、スライダーと保持部との間の各空間部に設けられた第１及び第２の遮蔽部材の状態の変更例を示した部分説明図である。
【符号の説明】
【００３８】
１  原稿
１０  画像読取装置
１１  手置き式読取用ガラス
１２  原稿読取用ガラス
１３  スライダー
１３ａ  スリット
１３ｂ  長穴
１３ｃ  取付部
１４  保持部
１４ａ  スリット
１４ｂ  突起
１４ｃ  立ち上げ部
１５  カバー部材
１６  駆動装置
１６ａ，１６ｂ，１６ｃ  歯車
１７ａ  第１の遮蔽部材
１７ｂ  第２の遮蔽部材
１８  摺動スペーサー
２０  画像読取手段
２１  光源
２２ａ  第１の反射鏡
２２ｂ  第２の反射鏡
２２ｃ  第３の反射鏡
２３  レンズ
２４  ＣＣＤラインセンサ
３０  自動原稿搬送装置
３１  原稿給紙トレイ
３２  第１の搬送ローラ
３３  ガイド部材
３４  第２の搬送ローラ
３５  原稿排紙トレイ
Ｓ１，Ｓ２  空間部
【図１】
0004692301.tif 000002
【図２】
0004692301.tif 000003
【図３】
0004692301.tif 000004
【図４】
0004692301.tif 000005
【図５】
0004692301.tif 000006
【図６】
0004692301.tif 000007
【図７】
0004692301.tif 000008
【図８】
0004692301.tif 000009